(57)【特許請求の範囲】
【請求項１】
義歯アタッチメントを構成する一要素であって、義歯床内に保持された磁性体に吸着され、歯根部に埋設される根面板に固定され、該磁性体に吸着される吸着面を主表面とする板状のキーパー本体であって、前記キーパー本体は、前記主表面より下方向に垂直に伸びる主側面と、前記主表面と反対側の裏表面より外方向に傾斜する側面を有することを特徴とする義歯用アタッチメントのキーパー本体。
【発明の詳細な説明】
【０００１】
【発明の属する技術分野】
本発明は、歯科医療分野において利用されるもので、磁気吸引力を利用した義歯アタッチメントを構成する一要素であって、歯根側根面板に固定されるキーパーに関するものである。
【０００２】
【従来の技術】
従来、磁気吸引力を利用した義歯アタッチメントの一要素であるキーパーは、通常鋳接によって根面板に固定されている。図１１、図１２に示されるキーパー１１は概ね長方形状のキーパー本体４２に維持棒１３を接合したものである。図１５は根面板４の構造を示す図であるが、キーパーを根面板に固定するに際して、鋳型内の所定の位置に確実に固定することができるように鋳型内固定用の維持棒が取り付けられている。
一方、実開平５−６５３１１号および実開平５−９１６２０号においては、図１３及び図１４に示される円板状キーパー１１における取っ手２３、３３（本発明では維持棒という。）の形状について開示している。これらの維持棒の断面形状は、維持棒の取扱性およびキーパー本体とからなる維持棒の製造性の改良のために図１３に示す短形および図１４に示す楕円形の形状としている。
【０００３】
【発明が解決しようとする課題】
しかし、以上に説明した従来の磁気吸引力を利用した義歯用アタッチメントのキーパーには、次のような問題があった。
先ず、実際に使用しているキーパー１１は、図１２に示すように維持棒１３はキーパー本体４２の主表面１１１より垂直に下方向に伸びる主側面１１２の一部と、前記主表面１１１と反対側となる裏表面１１３に一部重なりあって接合されている。このため図１６（ａ）に示すように根面板４を歯根部５に埋設するに際し、臨床的に必要とされるスペースがキーパー本体４２の厚さと維持棒１３との重なり部の厚さを必要とするため、結果として根面板４の厚さが増して適用例が制限されていた。
【０００４】
一方、図１３の短形および図１４の楕円形の形状を有する維持棒２３、３３においては、キーパーを根面板４に鋳接した後、円形状のキーパー本体５２に取り付けていた維持棒２３、３３の出っ張りの部分を取り除く作業をするに際して、概略切断後、根面板４側面に沿ってマイクロモーター駆動の手動研削機で研削していた。しかし、図１６（ｂ）に示すように、キーパー本体５２と同等の厚さの断面をもつ維持棒２３、３３であるため、キーパー本体５２と根面板４と維持棒２３、３３の境界が不明確となり、また研削量も多く、根面板４側面の形状に沿って研削加工をするのが困難であった。
【０００５】
また、上記に示すキーパーを根面板４に正確に位置つけるための適合作業をする際、維持棒２３、３３が、隣接する歯と干渉するため作業が著しく困難であった。更に、短形又は楕円形の断面形状を有する維持棒２３、３３では、３次元的に自在に曲げることができず、曲げれる角度の自由度が低く、操作がしにくかった。
【０００６】
次に、キーパーは歯根部５を復元するために残歯根部上部に埋設される根面板４に鋳接され、磁性体が埋め込まれている義歯床内に吸着され、義歯を固定する役割を果している。図１８（ａ）は、キーパーが根面板４に鋳接されている状態を示すものであるが、根面板４の主表面から歯肉６最上部までの高低差が大きく、根面板４の表面より下方向に伸びる緩やかな曲線状の傾斜面に付着した歯垢および食べかす等が根面板４の傾斜面と歯肉６最上部との接点に溜まりやすくなり清掃性が悪い。
【０００７】
そこで、根面板４の表面から歯肉６最上部までの高低差を小さくするため、図１８（ｂ）に示すようにキーパーの位置を下げて根面板４に鋳接した。しかし、キーパーの位置を下げると、キーパー本体４２、５２の裏表面の一部が歯根部５に接触したり、両者の距離が非常にせまくなることがある。このため、歯根部５とキーパー本体４２、５２の裏表面との十分な距離が確保できず、湯が流れないという問題が生じた。
【０００８】
本発明はかかる従来の問題を鑑み、キーパーを根面板に鋳接する適合作業の際に、維持棒の操作性を低下することなくキーパー本体と維持棒との重なり部を解消し、また従来よりキーパーを鋳接する位置を下げても湯流れを妨げず、かつ根面板の厚さも薄くすることができる義歯用アタッチメントのキーパーを提供する。
【０００９】
【課題を解決するための手段】
本発明は義歯アタッチメントを構成する一要素であって、義歯床内に保持された磁性体に吸着され、歯根部に埋設される根面板に固定され、前記磁性体に吸着される吸着面を主表面とする板状のキーパー本体と該キーパー本体の側面に一端が一体的に固定された維持棒とよりなるキーパーであって、
前記維持棒は前記キーパー本体の厚さよりも小さい厚さの断面をもち、かつ、前記維持棒は前記キーパー本体の前記主表面より離れた側面に固定されていることを特徴とする義歯用アタッチメントのキーパーである。
【００１０】
また、本発明は義歯アタッチメントを構成する一要素であって、義歯床内に保持された磁性体に吸着され、歯根部に埋設される根面板に固定され、該磁性体に吸着される吸着面を主表面とする板状のキーパー本体であって、前記キーパー本体は、前記主表面より下方向に垂直に伸びる主側面と、前記主表面と反対側の裏表面より外方向に傾斜する側面を有することを特徴とする義歯用アタッチメントのキーパー本体である。
【００１１】
前記キーパー本体と前記維持棒との接合方法としては、レーザー溶接又は電子ビーム溶接がよい。また、前記キーパー本体と前記維持棒とを接合する位置は、前記キーパー本体の前記主表面から０．２ｍｍ以上離れていることが望ましい。
【００１２】
なお、前記キーパー本体の前記主表面は、円形、楕円形、正方形又は長方形の形状であるとすることもできる。
【００１３】
前記キーパー本体は、耐食性磁性体を用いることが好ましい。かかる耐食性軟磁性体としては、１９Ｃｒ−２Ｍｏ−Ｔｉ鋼、１３Ｃｒ−２Ｍｏ−Ｔｉ鋼、１５Ｃｒ−２Ｍｏ−Ｔｉ鋼、１７Ｃｒ−２Ｍｏ−Ｔｉ鋼、純鉄などがある。
【００１４】
前記維持棒は、耐食性を有するとともに曲げ操作性の優れたステンレス鋼、Ｔｉ合金，或いは歯科用合金からなることが好ましい。たとえば、ＳＵＳ３１６Ｌ、Ｔｉ合金、１７Ｃｒ−１２Ｎｉ−２Ｍｏなどがある。
【００１５】
【発明の作用および効果】
本発明の義歯用アタッチメントのキーパーにおいては、先ず、維持棒の断面の厚さをキーパー本体の厚さより小さくすることにより、キーパー本体と根面板と維持棒の境界が明確になり、かつ、削るべき断面積も小さくなることにより簡単な研削加工で、容易に滑らかな曲線状の傾斜面を根面板の上端部に形成することができる。また、維持棒の断面形状が円形であるため、キーパー本体と維持棒の接合部が容易に曲げたい方向に自由に曲げれることから、他の歯との空間における干渉を避け、適合作業が容易にできる。
【００１６】
次に、キーパー本体の主表面と反対の面になる裏表面より外方向へ下降する傾斜面を設けることにより、キーパーの鋳接位置を下げても、歯根部上面との距離を充分確保することができ、湯流れることができ、接触する心配もなくなる。また、キーパーの鋳接位置を下げたことにより、歯肉最上部から根面板の主表面までの高低差が小さくなり、かすが溜まりにくくなる。
【００１７】
【発明の実施の形態】
次に、本発明の義歯用アタッチメントのキーパーに関する実施例を図および表に基づいて説明する。
実施例１
本発明の実施例にかかる義歯用アタッチメントのキーパーにつき、図１および図２を用いて説明する。
本例の義歯用アタッチメントのキーパー１は、図１および図２に示すごとく、薄い板状のキーパー本体２と、該キーパ本体２の厚さよりも小さい厚さの断面をもつ維持棒３とよりなり、前記キーパー本体２は、主表面１１１（義歯床内に保持された磁性体に吸着される側）を上部とし、該主表面１１１と反対の面になる裏表面１１３を下部とした。
前記キーパー本体２は、耐食性軟磁性体からなり、長方形状のものとし、その４角には丸みのある曲線部を設けている。また、上記維持棒３は、ステンレス鋼、Ｔｉ合金又は歯科用合金からなる棒状のものである。なお、上記キーパー本体２と前記維持棒３との接合部はレーザー又は電子ビームにより溶接されている。
図２に示すごとく、前記主表面１１１および前記裏表面１１３は、平面からなるものである。上記維持棒３は、厚さ０．２ｍｍ、断面積０．２ｍｍ２  、長さ１０ｍｍからなり、前記キーパー本体２の主表面１１１より垂直に０．４ｍｍ離れた主側面１１２に接合されている。
なお、前記キーパー本体２は、上部寸法が縦２．４ｍｍ、横３．４ｍｍ、厚さが０．８ｍｍである。また、前記キーパー本体２の下部寸法は、上部寸法と同じである。
【００１８】
実施例２
本発明の実施例にかかる義歯用アタッチメントのキーパーにつき、図３および図４に基づいて説明する。
本例の義歯用アタッチメントのキーパー１は、図３および図４に示すごとく、円形状のキーパー本体１２と、該キーパー本体１２の厚さよりも小さい厚さの断面をもつ維持棒３とよりなる。
図４に示すごとく、前記主表面１１１および前記裏表面１１３は、平面からなるものである。前記維持棒３は、厚さ０．５ｍｍ、断面積０．２ｍｍ２  、長さが１０ｍｍからなり、前記キーパー本体１２の主表面１１１より下方向へ垂直に０．２５ｍｍ離れた主側面１１２の中央部に接合されている。
なお、前記キーパー本体１２は、上部寸法が、直径３．５ｍｍ、厚さが０．８ｍｍからなり、下部寸法が、上部寸法と同じである。
その他は、実施例１と同様である。
【００１９】
実施例３
本発明の実施例にかかる義歯用アタッチメントのキーパーにつき、図５および図６に基づき説明する。
本例の義歯用アタッチメントのキーパー１は、図５および図６に示すごとく、長方形状のキーパー本体２２に、該キーパー本体２２の主表面１１１より下方向へ垂直に伸びる主側面１１２と、前記主表面１１１と反対の面になる裏表面１１３より外方向へ下降する傾斜面１１４を設けている。
前記キーパー本体２２は、上部寸法が縦２．８ｍｍ、横３．８ｍｍ、下部寸法が縦１．８ｍｍ、横２．８ｍｍ、最大厚さが１．０ｍｍ、最小厚さが０．５３ｍｍである。なお、最大厚さとは、キーパー本体２２の厚さのことで、最小厚さとは上記主側面１１２の下端までのことである。
また、図６に示すごとく、維持棒３は、前記主表面１１１より下方向へ垂直に０．３ｍｍ離れた前記主側面１１２に接合されており、前記傾斜面１１４には接触しない。なお、前記維持棒３は、厚さ０．３ｍｍ、断面積０．０７ｍｍ２  、長さが１０ｍｍからなるものである。
その他は、実施例１と同様である。
【００２０】
実施例４
本発明の実施例にかかる義歯用アタッチメントのキーパーにつき、図７および図８に基づき説明する。
本例の義歯用アタッチメントのキーパー１は、図７および図８に示すごとく、円形状のキーパー本体３２に、該キーパー本体３２の主表面１１１より下方向へ垂直に伸びる主側面１１２と、前記主表面１１１と反対の面になる裏表面１１３より外方向へ下降する傾斜面１１４を設けている。
前記キーパー本体２２は、上部寸法が直径４．０ｍｍ、下部寸法が直径３．２ｍｍ、最大厚さが０．８ｍｍ、最小厚さが０．５３ｍｍである。
また、図８に示すごとく、維持棒３は、前記主表面１１１より下方向へ垂直に０．３３ｍｍ離れた前記主側面１１２に接合されており、前記傾斜面１１４には接触していない。なお、前記維持棒３は、厚さ０．２ｍ、断面積０．０３ｍｍ２  、長さが１０ｍｍからなるものである。
その他は、実施例２と同様である。
【００２１】
実施例５
本発明の実施例にかかる義歯用アタッチメントのキーパーにつき、図９に基づき説明する。
本例の義歯用アタッチメントのキーパー１は、図９に示すごとく、維持棒３は、キーパー本体２２の主表面１１１より下方向へ垂直に伸びる主側面１１２と、前記主表面１１１と反対の面になる裏表面１１３より外方向へ下降する傾斜面１１４とに重なるように接合されている。
上記キーパー本体２２は、上部寸法が縦３．５ｍｍ、横４．５ｍｍ、下部寸法が縦２．０ｍｍ、横３．２ｍｍ、最大厚さが１．２ｍｍ、最小厚さが０．６ｍｍである。また、前記維持棒３は、厚さ０．６ｍｍ、断面積０．２８ｍｍ２  、長さが１０ｍｍからなり、前記主表面１１より下方向へ０．３ｍｍ離れた側面に接合されている。
その他は、実施例３と同様である。
【００２２】
実施例６
本発明の実施例にかかる義歯用アタッチメントのキーパーにつき、図１０に基づき説明する。
本例の義歯用アタッチメントのキーパー１は、図１０に示すごとく、維持棒３は、キーパー本体３２の主表面１１１と反対の面になる裏表面１１３より外方向へ下降する傾斜面１１４に接合されている。
上記キーパー本体３２は、上部寸法が直径４．５ｍｍ、下部寸法が直径３．５ｍｍ、最大厚さが０．８ｍｍ、最小厚さが０．２ｍｍである。また、上記維持棒３は、厚さ０．３ｍｍ、断面積０．０７ｍｍ２  、長さ１０ｍｍであり、前記主表面より下方向へ０．３ｍｍ離れた前記傾斜面１１４に接合されている。
その他は、実施例４と同様である。
【００２３】
実施例７
本発明の実施例にかかる義歯用アタッチメントのキーパーのつき、表１に基づいて説明する。
【００２４】
【表１】
0003562739.tif 000002
【００２５】
本例は、表１に示すごとく、本発明にかかる試料１および試料２の義歯用アタッチメントのキーパーについて、その根面板を鋳造したときの根面板の製造性および維持棒の曲げ操作性について試験をした結果をまとめた。また、比較のため、従来例に示した短形の断面形状を有した維持棒が接合されているキーパー（比較試料１）および楕円形の断面形状を有した維持棒が接合されているキーパー（比較試料２）についても同様の試験を行った。
【００２６】
上記の試料１は実施例１、試料２は実施例２にそれぞれ示した構造の義歯用アタッチメントのキーパーである。
試験方法として、根面板の製造性については、根面板に鋳接されたキーパーより維持棒の出っ張り部を取り除く作業において、容易に根面板の側面に沿って研削加工できた場合は○、できなかった場合は×とした。一方、維持棒の曲げ操作性については、キーパーを根面板に所定の位置につけるための適合作業をする際、維持棒が隣接する歯に干渉されず、曲げたい方向に曲げることができたものを○、できなかったものを×とした。
【００２７】
試料１および試料２については、図１７に示すごとく、キーパー本体２、１２の主表面１１１より離れた主側面１１２に、キーパー本体２、１２の厚さよりも小さい断面をもつ棒状の維持棒を接合したことにより、簡単な研削加工で、容易に滑らかな曲線状の傾斜面１２４を上端部にもつ根面板４を形成しているため、根面板の製造性が優れている。また、維持棒３の断面が円形のため、キーパー本体２、１２と維持棒３の接合部が容易に曲がることにより、維持棒の曲げ操作性も優れている。一方、比較試料１および比較試料２は、図１６（ｂ）に示すごとく、キーパー本体２２と同等の厚さをもつ維持棒２３、３３であるため、キーパー本体の主表面１１１と根面板４の上端部と維持棒２３、３３の境界が不明確となり、根面板４上端部に設けている点線で示している滑らかな曲線状の傾斜面１２４に沿って研削加工するのが困難であり、断面積も大きいため時間がかかる。また、維持棒３の断面形状が短形および楕円形であるため曲げれる角度の自由度が低下し、操作もしにくい。
【００２８】
実施例８
本発明の実施例にかかる義歯用アタッチメントのキーパーにつき、表２に基づいて説明する。
【００２９】
【表２】
0003562739.tif 000003
【００３０】
本例は、表２に示すごとく、本発明にかかる試料３〜試料６の義歯アタッチメントのキーパーについて、その湯流れ性およびかすの溜まり具合について試験をした結果をまとめた。また、比較のため表１と同様の比較試料１、２についても同様の試験を行った。
【００３１】
上記の試料３は実施例３、試料４は実施例４、試料５は実施例５試料６は実施例６にそれぞれ示した構造の義歯用アタッチメントのキーパーである。
試験方法として、湯流れ性については、歯根部を必要最小限削った上で、通常の鋳接位置に対して、キーパー本体の主表面位置をかす溜まりがでないように高さ方向に０．５ｍｍ下げて根面板にキーパーを鋳接し、その結果、湯流れを確保できた場合は○、できなかった場合は×とした。また、かす溜まり性については、キーパー本体の主表面と反対側になる裏表面が歯根部上部との間に適切な隙間があるようにして、湯流れが確保できていることを前提としてかす溜まりの評価を行った。その結果、かす溜まりがない場合は○、ある場合は×とした。
【００３２】
試料３〜試料６についてはキーパー本体２２、３２の裏表面１１３よし外方向へ下降する傾斜面１１４を設けていることにより、図１８（ｃ）に示すごとく、キーパーを従来よりも下げて根面板４に鋳接することができ、湯流れ性およびかす溜まりのいずれにおいても優れている。一方、比較試料１および比較試料２は、図１８（ｂ）に示すように、かすが溜まらない程度までキーパーの鋳接位置を下げてしまうと湯流れできなくなる。逆に、図１８（ｂ）に示すように、湯流れを確保しようとすると歯肉６最上部から根面板４の主表面までの高低差が大きくなり、歯垢や食べ物のかす等が溜まってしまう。
【図面の簡単な説明】
【図１】本発明の実施例１を示す斜視図
【図２】本発明の実施例１を示す横断面図
【図３】本発明の実施例２を示す斜視図
【図４】本発明の実施例２を示す横断面図
【図５】本発明の実施例３を示す斜視図
【図６】本発明の実施例３を示す横断面図
【図７】本発明の実施例４を示す斜視図
【図８】本発明の実施例４を示す横断面図
【図９】本発明に実施例５を示す横断面図
【図１０】本発明に実施例６を示す横断面図
【図１１】従来の使用例のキーパーを示す斜視図
【図１２】従来の使用例のキーパーを示す横断面図
【図１３】短形状の維持棒からなるキーパーを示す斜視図
【図１４】楕円形状の維持棒からなるキーパーを示す斜視図
【図１５】根面板の構造を示す図
【図１６】従来のキーパー（ａ）、（ｂ）を根面板に鋳接した状態を示す図
【図１７】本発明のキーパーを根面板に鋳接した状態を示す図
【図１８】従来（ａ）、（ｂ）と本発明（ｃ）の差異を示す説明図
【符号の説明】
１、１１・・・キーパー
２、１２、２２、３２・・・キーパー本体
３・・・維持棒
４・・・根面板
５・・・歯根部
６・・・歯肉
７・・・義歯アタッチメント
４２、５２・・・従来のキーパー本体
１３・・・従来の維持棒
２３・・・短形の断面形状を有する維持棒
３４・・・楕円形の断面形状を有する維持棒
１１１・・・主表面
１１２・・・主側面
１１３・・・裏表面
１１４、１２４・・・傾斜面
【図１】
0003562739.tif 000004
【図２】
0003562739.tif 000005
【図３】
0003562739.tif 000006
【図４】
0003562739.tif 000007
【図５】
0003562739.tif 000008
【図６】
0003562739.tif 000009
【図７】
0003562739.tif 000010
【図８】
0003562739.tif 000011
【図９】
0003562739.tif 000012
【図１０】
0003562739.tif 000013
【図１１】
0003562739.tif 000014
【図１２】
0003562739.tif 000015
【図１３】
0003562739.tif 000016
【図１４】
0003562739.tif 000017
【図１５】
0003562739.tif 000018
【図１６】
0003562739.tif 000019
【図１７】
0003562739.tif 000020
【図１８】
0003562739.tif 000021